(57)【要約】
【課題】　既設の戸板にあたかも元から窓が存在し、美しい風景が見えているような違和感の無い明るく開放感に優れた部屋を提供する。
【解決手段】　ドア４の表面に粘着力の弱い粘着テープを縁部に沿って貼着し、離型紙を剥離して上下２枚組の風景写真２をそれぞれ取っ手５と干渉しないようにシワなく付設する。このようにして既設のドア４に風景写真２を付設することで、閉鎖時は壁６の一部であったドア４があたかも元から大きな窓が存在していたかのように見え、従来のポスター類と比較して後付け感を感じさせず違和感の無い開放感に優れた部屋となる。
【選択図】　　　　　図１
　
0003100358.tif 000002
【実用新案登録請求の範囲】
【請求項１】
　建物の戸板の全面に風景写真を付設したことを特徴とする擬似窓を形成した部屋空間。
【請求項２】
　風景写真が付設された戸板の外縁部を露出し、同露出した外縁部を擬似窓の框の一部とした請求項１記載の擬似窓を形成した部屋空間。
【請求項３】
　風景写真が、戸板から２〜５ｍの位置で戸枠内に目視できるスケールに現像又は印刷されたものである請求項１又は２記載の擬似窓を形成した部屋空間。
【請求項４】
　複数の戸板が連設されたものにおいて、複数に分割した分割風景写真を前記各戸板に連続する一つの風景となるようにそれぞれ付設した請求項１〜３いずれか記載の擬似窓を形成した部屋空間。
【請求項５】
　建物の室内壁面に戸板の枠部材を取り付け、同戸枠から２〜５ｍの位置で目視できるスケールに風景を現像又は印刷した風景写真を戸枠内の壁面に取り付け、同戸枠付き風景写真を建物の室内壁面に付設したことを特徴とする擬似窓を形成した部屋空間。
【考案の詳細な説明】
【技術分野】
【０００１】
　本考案は、窓の無い箇所にあたかも窓があるかのように見せる擬似窓を形成した部屋空間に関する。
【背景技術】
【０００２】
　従来、窓から美しい風景が見えているように描写された擬似窓のポスター類を部屋の壁面に付設し、閉塞感を伴う殺風景な部屋空間に開放感をもたらすとともに目の保養や心身の癒しを提供するというものがある。
【０００３】
　ところで、このようなポスター類は既設の戸板等との調和が取れていないから後付け感を否めず、紙面に窓枠を立体的に描写しても偏平な作り物の感を拭えないものであった。また、ポスター類を額縁等の枠部材に装着して付設する方法もあるが、コストがかかるという問題があり、一方ではその擬似窓により絵画等を飾るべき場所が制限されてしまうという問題もあった。さらに、従来のポスター類に描写された風景は距離感やスケールについてほとんど考慮されていないものが多いから、壁面に付設しても依然ポスターの域を脱しないものであった。
【特許文献１】特開２００３−７４１７７号公報
【考案の開示】
【考案が解決しようとする課題】
【０００４】
　本考案が解決しようとする課題は、従来のこれらの問題点を解消し、既設の戸板にあたかも元から窓が存在し、美しい風景が見えているような違和感の無い明るく開放感に優れた低コストの部屋空間を提供することにある。
【課題を解決するための手段】
【０００５】
　かかる課題を解決した本考案の構成は、
１）　建物の戸板の全面に風景写真を付設したことを特徴とする擬似窓を形成した部屋空間
２）　風景写真が付設された戸板の外縁部を露出し、同露出した外縁部を擬似窓の框の一部とした前記１）記載の擬似窓を形成した部屋空間
３）　風景写真が、戸板から２〜５ｍの位置で戸枠内に目視できるスケールに現像又は印刷されたものである前記１）又は２）記載の擬似窓を形成した部屋空間
４）　複数の戸板が連設されたものにおいて、複数に分割した分割風景写真を前記各戸板に連続する一つの風景となるようにそれぞれ付設した前記１）〜３）いずれか記載の擬似窓を形成した部屋空間
５）　建物の室内壁面に戸板の枠部材を取り付け、同戸枠から２〜５ｍの位置で目視できるスケールに風景を現像又は印刷した風景写真を戸枠内の壁面に取り付け、同戸枠付き風景写真を建物の室内壁面に付設したことを特徴とする擬似窓を形成した部屋空間
にある。
【考案の効果】
【０００６】
　本考案によれば、既設の戸板全面に風景写真を付設するから、従来のポスター類を壁面に付設する方法と比較して元からそこに大きな窓が存在するかのように見えて後付け感を感じさせず、違和感の無い明るく開放感に優れた居心地の良い部屋空間となる。
【考案を実施するための最良の形態】
【０００７】
　本考案の風景写真は、実際に部屋から眺めた風景と見えるように戸板から２〜５ｍの位置で戸枠内に目視できるスケールで現像又は印刷されたものが望ましい。風景写真としては、夜景，田園，花畑，森林，山，砂浜，外国の風景等、落ち着きや癒しを与えるものが良く、写真は銀塩カメラやデジタルカメラで撮影したものを印画紙に現像又はプリンタで印刷したものが用いられ、撮影したデータはコンピュータ上で画像処理したものが任意の大きさに出力できて好ましい。
【０００８】
　写真本体はコート紙，印画紙，表具紙（特殊紙），ＦＬＯＯＲ（ＰＥＴ），ＰＰ合成紙，ＰＥＴ合成紙，ポリエステル合成紙，ＰＶＣ等の規格からなる壁紙，マット紙，塩ビ紙等から選ばれたもので構成され、表面に凹凸の少ない戸板の表面に粘着力の低い粘着テープ等の手段で脱着自在に付設される。
【０００９】
　本考案でいう戸板は、一般的な室内ドア（開き戸・引戸・引違い戸）の他、窓，襖，障子，部屋を区画する間仕切り扉，クローゼット等の収納折戸，浴室扉など閉鎖時に壁面の一部となる戸板全てを包含する。以下、本考案の各実施例を図面に基づいて具体的に説明する。
【実施例１】
【００１０】
　図１，２に示す実施例１は洋室のドアに形成した擬似窓の例である。図１は実施例１の擬似窓の正面図、図２は実施例１の取っ手部分の処理を示す説明図である。図中、１は擬似窓、２は風景写真、２ａはカット部、３は粘着テープ、４はドア、５は取っ手、６は壁である。
【００１１】
　実施例１の風景写真２は塩ビ紙からなり、表面に砂浜の風景が撮影されている。寸法は付設すべきドア４を上下２分割した寸法と略同じにして２枚組とし、取っ手５が来る位置にカット部２ａをそれぞれ形成して取っ手５と干渉しないようにしている。
【００１２】
　図２に示すようにドア４の表面に粘着力の弱い粘着テープ３を縁部に沿って貼着し、離型紙を剥離して上下の風景写真２をそれぞれシワなく付設する。シワが生じた場合は取り剥がして再度付設する。
【００１３】
　このように既設のドア４に風景写真２を付設することで、閉鎖時は壁６の一部であったドア４があたかも元から大きな窓が存在しているかのように見え、従来のポスター類と比較して後付け感を感じさせず違和感の無い開放感に優れた洋室空間となった。
【実施例２】
【００１４】
　図３，４に示す実施例２は襖に形成した擬似窓の例である。図３は実施例２の擬似窓の正面図、図４は実施例２の取っ手部分の処理を示す説明図、図中、７は襖、７ａは外縁部である。
【００１５】
　実施例２の擬似窓１は山が２枚に渡って撮影された左右２枚組物からなる壁紙用紙で、取っ手５が来る部分にカット部２ａをくり抜いて形成し、襖７の表面に粘着テープ（図示せず）を用いて引き違い部分の外縁部７ａを一部露出させるように付設し、襖７の部分から山を眺められるかのような開放感のある和室空間にしている。その他、符号、構成は実施例１と同じである。
【実施例３】
【００１６】
　図５，６に示す実施例３は洋室を仕切る間仕切りに形成した擬似窓の例である。図５は実施例３の擬似窓の正面図、図６は実施例３の取っ手部分の処理を示す説明図、図中、２ｂは切込み、８は間仕切り、８ａは扉である。
【００１７】
　実施例３の擬似窓１は、間仕切り８を構成する４体の各扉８ａそれぞれの寸法に対応する４枚組で、取っ手５が来る部分にカット部２ａ及び切込み２ｂを形成し、各扉８ａの表面に粘着テープ（図示せず）を用いて付設し、４体の各扉８ａで一つの大きな擬似窓を形成している。その他、符号、構成は実施例１と同じである。
【実施例４】
【００１８】
　図７，８に示す実施例４は壁面に風景写真を付設した擬似窓の例である。図７は実施例４の擬似窓の正面図、図８は実施例４の擬似窓の取り付けを示す説明図である。図中、９は基板、９ａは掛止部、１０は枠部材、１１はフックである。
【００１９】
　実施例４の擬似窓１は、裏面に掛止部９ａを備えた基板９に風景写真２を貼着し、壁面６にフック１１を取り付け、風景写真２が貼着された基板９を壁面６のフック１１に掛止して付設している。その他、符号、構成は実施例１と同じである。
【００２０】
　なお、本考案では数種の風景写真を用意しておき、季節の変化，部屋の模様替え，その他気分に応じて任意の風景写真に貼り替えてもよい。
【産業上の利用可能性】
【００２１】
　本考案の擬似窓を形成した部屋空間は、戸建住宅や集合住宅の他、店舗等の商業施設、オフィス等の建築物に好適である。
【図面の簡単な説明】
【００２２】
【図１】実施例１の擬似窓の正面図である。
【図２】実施例１の取っ手部分の処理を示す。
【図３】実施例２の擬似窓の正面図である。
【図４】実施例２の取っ手部分の処理を示す説明図である。
【図５】実施例３の擬似窓の正面図である。
【図６】実施例３の取っ手部分の処理を示す説明図である。
【図７】実施例４の擬似窓の正面図である。
【図８】実施例４の擬似窓の取り付けを示す説明図である。
【符号の説明】
【００２３】
　　　１　擬似窓
　　　２　風景写真
　　　２ａ　カット部
　　　２ｂ　切込み
　　　３　粘着テープ
　　　４　ドア
　　　５　取っ手
　　　６　壁
　　　７　襖
　　　７ａ　外縁部
　　　８　間仕切り
　　　８ａ　扉
　　　９　基板
　　　９ａ　掛止部
　　１０　枠部材
　　１１　フック
【図１】
0003100358.tif 000003
【図２】
0003100358.tif 000004
【図３】
0003100358.tif 000005
【図４】
0003100358.tif 000006
【図５】
0003100358.tif 000007
【図６】
0003100358.tif 000008
【図７】
0003100358.tif 000009
【図８】
0003100358.tif 000010
【手続補正書】
【提出日】平成15年10月1日(2003.10.1)
【手続補正１】
【補正対象書類名】実用新案登録請求の範囲
【補正対象項目名】全文
【補正方法】変更
【補正の内容】
【実用新案登録請求の範囲】
【請求項１】
　建物の戸板の全面に風景写真を付設したことを特徴とする擬似窓を形成した部屋。
【請求項２】
　風景写真が付設された戸板の外縁部を露出し、同露出した外縁部を擬似窓の框の一部とした請求項１記載の擬似窓を形成した部屋。
【請求項３】
　風景写真が、戸板から２〜５ｍの位置で戸枠内に目視できるスケールに現像又は印刷されたものである請求項１又は２記載の擬似窓を形成した部屋。
【請求項４】
　複数の戸板が連設されたものにおいて、複数に分割した分割風景写真を前記各戸板に連続する一つの風景となるようにそれぞれ付設した請求項１〜３いずれか記載の擬似窓を形成した部屋。
【請求項５】
　建物の室内壁面に戸板の枠部材を取り付け、同戸枠から２〜５ｍの位置で目視できるスケールに風景を現像又は印刷した風景写真を戸枠内の壁面に取り付け、同戸枠付き風景写真を建物の室内壁面に付設したことを特徴とする擬似窓を形成した部屋。
【手続補正２】
【補正対象書類名】明細書
【補正対象項目名】全文
【補正方法】変更
【補正の内容】
【考案の詳細な説明】
【技術分野】
【０００１】
　本考案は、窓の無い箇所にあたかも窓があるかのように見せる擬似窓を形成した部屋に関する。
【背景技術】
【０００２】
　従来、窓から美しい風景が見えているように描写された擬似窓のポスター類を部屋の壁面に付設し、閉塞感を伴う殺風景な部屋に開放感をもたらすとともに目の保養や心身の癒しを提供するというものがある。
【０００３】
　ところで、このようなポスター類は既設の戸板等との調和が取れていないから後付け感を否めず、紙面に窓枠を立体的に描写しても偏平な作り物の感を拭えないものであった。また、ポスター類を額縁等の枠部材に装着して付設する方法もあるが、コストがかかるという問題があり、一方ではその擬似窓により絵画等を飾るべき場所が制限されてしまうという問題もあった。さらに、従来のポスター類に描写された風景は距離感やスケールについてほとんど考慮されていないものが多いから、壁面に付設しても依然ポスターの域を脱しないものであった。
【特許文献１】特開２００３−７４１７７号公報
【考案の開示】
【考案が解決しようとする課題】
【０００４】
　本考案が解決しようとする課題は、従来のこれらの問題点を解消し、既設の戸板にあたかも元から窓が存在し、美しい風景が見えているような違和感の無い明るく開放感に優れた低コストの部屋を提供することにある。
【課題を解決するための手段】
【０００５】
　かかる課題を解決した本考案の構成は、
１）　建物の戸板の全面に風景写真を付設したことを特徴とする擬似窓を形成した部屋
２）　風景写真が付設された戸板の外縁部を露出し、同露出した外縁部を擬似窓の框の一部とした前記１）記載の擬似窓を形成した部屋
３）　風景写真が、戸板から２〜５ｍの位置で戸枠内に目視できるスケールに現像又は印刷されたものである前記１）又は２）記載の擬似窓を形成した部屋
４）　複数の戸板が連設されたものにおいて、複数に分割した分割風景写真を前記各戸板に連続する一つの風景となるようにそれぞれ付設した前記１）〜３）いずれか記載の擬似窓を形成した部屋
５）　建物の室内壁面に戸板の枠部材を取り付け、同戸枠から２〜５ｍの位置で目視できるスケールに風景を現像又は印刷した風景写真を戸枠内の壁面に取り付け、同戸枠付き風景写真を建物の室内壁面に付設したことを特徴とする擬似窓を形成した部屋
にある。
【考案の効果】
【０００６】
　本考案によれば、既設の戸板全面に風景写真を付設するから、従来のポスター類を壁面に付設する方法と比較して元からそこに大きな窓が存在するかのように見えて後付け感を感じさせず、違和感の無い明るく開放感に優れた居心地の良い部屋となる。
【考案を実施するための最良の形態】
【０００７】
　本考案の風景写真は、実際に部屋から眺めた風景と見えるように戸板から２〜５ｍの位置で戸枠内に目視できるスケールで現像又は印刷されたものが望ましい。風景写真としては、夜景，田園，花畑，森林，山，砂浜，外国の風景等、落ち着きや癒しを与えるものが良く、写真は銀塩カメラやデジタルカメラで撮影したものを印画紙に現像又はプリンタで印刷したものが用いられ、撮影したデータはコンピュータ上で画像処理したものが任意の大きさに出力できて好ましい。
【０００８】
　写真本体はコート紙，印画紙，表具紙（特殊紙），ＦＬＯＯＲ（ＰＥＴ），ＰＰ合成紙，ＰＥＴ合成紙，ポリエステル合成紙，ＰＶＣ等の規格からなる壁紙，マット紙，塩ビ紙等から選ばれたもので構成され、表面に凹凸の少ない戸板の表面に粘着力の低い粘着テープ等の手段で脱着自在に付設される。
【０００９】
　本考案でいう戸板は、一般的な室内ドア（開き戸・引戸・引違い戸）の他、窓，襖，障子，部屋を区画する間仕切り扉，クローゼット等の収納折戸，浴室扉など閉鎖時に壁面の一部となる戸板全てを包含する。以下、本考案の各実施例を図面に基づいて具体的に説明する。
【実施例１】
【００１０】
　図１，２に示す実施例１は洋室のドアに形成した擬似窓の例である。図１は実施例１の擬似窓の正面図、図２は実施例１の取っ手部分の処理を示す説明図である。図中、１は擬似窓、２は風景写真、２ａはカット部、３は粘着テープ、４はドア、５は取っ手、６は壁である。
【００１１】
　実施例１の風景写真２は塩ビ紙からなり、表面に砂浜の風景が撮影されている。寸法は付設すべきドア４を上下２分割した寸法と略同じにして２枚組とし、取っ手５が来る位置にカット部２ａをそれぞれ形成して取っ手５と干渉しないようにしている。
【００１２】
　図２に示すようにドア４の表面に粘着力の弱い粘着テープ３を縁部に沿って貼着し、離型紙を剥離して上下の風景写真２をそれぞれシワなく付設する。シワが生じた場合は取り剥がして再度付設する。
【００１３】
　このように既設のドア４に風景写真２を付設することで、閉鎖時は壁６の一部であったドア４があたかも元から大きな窓が存在しているかのように見え、従来のポスター類と比較して後付け感を感じさせず違和感の無い開放感に優れた洋室となった。
【実施例２】
【００１４】
　図３，４に示す実施例２は襖に形成した擬似窓の例である。図３は実施例２の擬似窓の正面図、図４は実施例２の取っ手部分の処理を示す説明図、図中、７は襖、７ａは外縁部である。
【００１５】
　実施例２の擬似窓１は山が２枚に渡って撮影された左右２枚組物からなる壁紙用紙で、取っ手５が来る部分にカット部２ａをくり抜いて形成し、襖７の表面に粘着テープ（図示せず）を用いて引き違い部分の外縁部７ａを一部露出させるように付設し、襖７の部分から山を眺められるかのような開放感のある和室にしている。その他、符号、構成は実施例１と同じである。
【実施例３】
【００１６】
　図５，６に示す実施例３は洋室を仕切る間仕切りに形成した擬似窓の例である。図５は実施例３の擬似窓の正面図、図６は実施例３の取っ手部分の処理を示す説明図、図中、２ｂは切込み、８は間仕切り、８ａは扉である。
【００１７】
　実施例３の擬似窓１は、間仕切り８を構成する４体の各扉８ａそれぞれの寸法に対応する４枚組で、取っ手５が来る部分にカット部２ａ及び切込み２ｂを形成し、各扉８ａの表面に粘着テープ（図示せず）を用いて付設し、４体の各扉８ａで一つの大きな擬似窓を形成している。その他、符号、構成は実施例１と同じである。
【実施例４】
【００１８】
　図７，８に示す実施例４は壁面に風景写真を付設した擬似窓の例である。図７は実施例４の擬似窓の正面図、図８は実施例４の擬似窓の取り付けを示す説明図である。図中、９は基板、９ａは掛止部、１０は枠部材、１１はフックである。
【００１９】
　実施例４の擬似窓１は、裏面に掛止部９ａを備えた基板９に風景写真２を貼着し、壁面６にフック１１を取り付け、風景写真２が貼着された基板９を壁面６のフック１１に掛止して付設している。その他、符号、構成は実施例１と同じである。
【００２０】
　なお、本考案では数種の風景写真を用意しておき、季節の変化，部屋の模様替え，その他気分に応じて任意の風景写真に貼り替えてもよい。
【産業上の利用可能性】
【００２１】
　本考案の擬似窓を形成した部屋は、戸建住宅や集合住宅の他、店舗等の商業施設、オフィス等の建築物に好適である。
【図面の簡単な説明】
【００２２】
【図１】実施例１の擬似窓の正面図である。
【図２】実施例１の取っ手部分の処理を示す。
【図３】実施例２の擬似窓の正面図である。
【図４】実施例２の取っ手部分の処理を示す説明図である。
【図５】実施例３の擬似窓の正面図である。
【図６】実施例３の取っ手部分の処理を示す説明図である。
【図７】実施例４の擬似窓の正面図である。
【図８】実施例４の擬似窓の取り付けを示す説明図である。
【符号の説明】
【００２３】
　　　１　擬似窓
　　　２　風景写真
　　　２ａ　カット部
　　　２ｂ　切込み
　　　３　粘着テープ
　　　４　ドア
　　　５　取っ手
　　　６　壁
　　　７　襖
　　　７ａ　外縁部
　　　８　間仕切り
　　　８ａ　扉
　　　９　基板
　　　９ａ　掛止部
　　１０　枠部材
　　１１　フック